(57)【要約】【課題】フィッティングルームを好ましい照明状態にする。【解決手段】人２０が衣服２を試着するときに入室するフィッティングルーム３に、衣服２を映す鏡４とともに設置されるフィッティングルーム用照明装置１において、鏡４の上下方向の両側方に設けられた１対の面光源５，５及び１対の点光源６，６が、衣服２のうちフィッティングルーム３の底面から高さ１．２ｍの位置における影のない部分の輝度Ｌ１と影の部分の輝度Ｌ２とから求められる影の深さＳ＝（Ｌ１−Ｌ２）／Ｌ１を０．７６以上０．７８以下にして、衣服２を照射する。【選択図】図１
2008123859.tif 000002
【特許請求の範囲】
【請求項１】
人が衣服を試着するときに入室するフィッティングルームに設置されるフィッティングルーム用照明装置であって、
前記衣服の所定の部分における影のない部分の輝度Ｌ１及び影の部分の輝度Ｌ２から求められる影の深さＳ＝（Ｌ１−Ｌ２）／Ｌ１を０．７６以上０．７８以下にして当該衣服を照射する照射手段を備える
ことを特徴とするフィッティングルーム用照明装置。
【請求項２】
前記照射手段からの光の色温度が４２００Ｋ以上５０００Ｋ以下であることを特徴とする請求項１記載のフィッティングルーム用照明装置。
【請求項３】
前記照射手段が、
前記衣服を映す鏡とともに当該鏡の両側方に設けられ当該衣服を照射する１対の面光源と、
前記鏡の両側方であって前記１対の面光源の上方に設けられ前記衣服を照射する１対の点光源と
を有することを特徴とする請求項１又は２記載のフィッティングルーム用照明装置。
【発明の詳細な説明】
【技術分野】
【０００１】
本発明は、人が衣服を試着するときに入室するフィッティングルーム（試着室）に設置されるフィッティングルーム用照明装置に関するものである。
【背景技術】
【０００２】
衣服を試着するために用いられるフィッティングルームに設置されるフィッティングルーム用照明装置には、例えば衣料品店や百貨店などの店舗で、客が候補の衣服から選択する際、購買意欲を効果的に向上させるために、衣服の素材感をよく見えるような照明が求められている。
【０００３】
具体的に説明すると、図１１に示すように、客は衣服を誤りなく選定したい、衣服の特徴がわかる、購買を決心しやすいという期待を持っている。このため、フィッティングルーム用照明装置には以下の機能が求められている。まず、客が衣服を誤りなく選定するためには、フィッティングルーム用照明装置による照明として、客の首下から床面まで明るいこと、衣服の正面のみでなく側面も明るいこと、色の見え方が好ましく忠実であること及び照明がまぶしくないことを満たす必要がある。また、衣服の特徴がわかるためには、陰影（凹凸の表現）が好ましいこと及び光源の反射光が好ましいことを満たす必要がある。さらに、購買を決心させるためには、さまざまな場面で着衣したときの雰囲気を想像できることを満たす必要がある。
【０００４】
また、明るさ（照度）が重要であることは一般的に知られているが、衣服の素材感をわかりやすくするためには、陰影や適切な反射が重要である。陰影を例に説明すると、衣服の繊維の種類や織り方を上手に表現する必要がある。
【０００５】
従来のフィッティングルーム用照明装置として、特許文献１には、試着室を太陽光に近い光にする装置が開示されている。このような特許文献１の装置によって、太陽光に近い色で素材の色を確認することを可能とする。また、特許文献２には、蛍光灯と電球の組み合わせによって、昼間や夜、室内、室外の明るさを作成する照明器具（照明装置）が開示されている。さらに、特許文献３には、色及び明るさを変更可能とする照明負荷と、照明負荷の配光特性を変更可能とする器具駆動部と、照明負荷の照明状態を操作するための携帯可能な多機能ユニットとを備え、空間の照明雰囲気を任意に変更可能とする照明装置が開示されている。
【０００６】
ところが、特許文献１及び２の照明装置は、明るさを確保するための工夫が不足していた。また、特許文献１〜３には、上記のような照明状態を作り出すための具体的な手段が開示されていなかった。
【０００７】
上記問題を解決するものとして、特許文献４には、下方に設けられたスポットライトから、人が試着している衣服に向かって上向きに照射する照明装置が開示されている。上方からの照明のみでは、人が試着した衣服の評価が困難であるが、特許文献４の照明装置のように下方からも照射することによって、衣服の評価を向上させることができる。
【特許文献１】実用新案登録第３０３９２７３号公報（段落０００５及び第１，２図）
【特許文献２】実用新案登録第３０８５１６３号公報（段落０００８及び第２図）
【特許文献３】特開平６−３１０２８４号公報（段落００１５〜００７１及び第１図）
【特許文献４】特開平１０−２２７１３８号公報（段落００１９〜００６７及び第１図）
【発明の開示】
【発明が解決しようとする課題】
【０００８】
しかしながら、特許文献１乃至４における従来のフィッティングルーム用照明装置には、面光源又は点光源のみで照射することから、人が試着した衣服の陰影つまり影の深さを好ましい状態にすることが難しいという問題があった。
【０００９】
本発明は上記の点に鑑みて為されたものであり、その目的とするところは、フィッティングルームを好ましい照明状態にすることができるフィッティングルーム用照明装置を提供することにある。
【課題を解決するための手段】
【００１０】
請求項１の発明は、人が衣服を試着するときに入室するフィッティングルームに設置されるフィッティングルーム用照明装置であって、前記衣服の所定の部分における影のない部分の輝度Ｌ１及び影の部分の輝度Ｌ２から求められる影の深さＳ＝（Ｌ１−Ｌ２）／Ｌ１を０．７６以上０．７８以下にして当該衣服を照射する照射手段を備えることを特徴とする。
【００１１】
請求項２の発明は、請求項１の発明において、前記照射手段からの光の色温度が４２００Ｋ以上５０００Ｋ以下であることを特徴とする。
【００１２】
請求項３の発明は、請求項１又は２の発明において、前記照射手段が、前記衣服を映す鏡とともに当該鏡の両側方に設けられ当該衣服を照射する１対の面光源と、前記鏡の両側方であって前記１対の面光源の上方に設けられ前記衣服を照射する１対の点光源とを有することを特徴とする。
【発明の効果】
【００１３】
請求項１の発明によれば、例えば衣料品店や百貨店などの店舗で、客が候補の衣服から選択する際、購買意欲を効果的に向上させるため、又は、衣服の繊維や種類、織り方、表面状態などの衣服の素材感を上手に表現するために、影の深さの見え方を好ましい状態にすることができるので、店舗側にとっては付加価値の高い衣服を客に選定してもらえる機会を上げることができ、客にとっては衣服を迷わずに選定することができ、買い物が苦痛にならないという効果がある。
【００１４】
請求項２の発明によれば、影の深さの見え方をより好ましい状態にすることができる。
【００１５】
請求項３の発明によれば、フィッティングルームにおいて試着の邪魔にならないように設置することができる。
【発明を実施するための最良の形態】
【００１６】
（実施形態１）
本発明の実施形態１に係るフィッティングルーム用照明装置の構成について図１乃至７を用いて説明する。このフィッティングルーム用照明装置１は、図１（ａ）に示すように、人（客）２０（図１（ｂ）参照）が衣服２（図１（ｂ）参照）を試着するときに入室するフィッティングルーム３に鏡４とともに設置されたものであり、鏡４の上下方向の両側方に設けられ衣服２を照射する１対の面光源５，５と、鏡４の上下方向の両側方であって１対の面光源５，５の上方に設けられ衣服２を照射する１対の点光源６，６とを備えている。
【００１７】
フィッティングルーム３は、図２（ｂ）に示すように、四方が囲まれて、人２０が立った状態で衣服２の試着を行うことを可能とする広さを有している。実施形態１では、幅１．４ｍ×奥行き１．４ｍ×高さ２．５ｍ（図１（ａ）参照）である。
【００１８】
鏡４は、人２０が着衣した衣服２を映すものであり、図１（ａ）に示すように、フィッティングルーム３の正面中央に設けられている。特に、試着している人２０が衣服２の胸元や襟元を見ることができるように、鏡４の上下方向の長さは１．２メートル以上である。
【００１９】
１対の面光源５，５は、それぞれ例えば長さが１．２ｍ、色温度が５０００Ｋである三波長発光型の直管型蛍光灯などであり、照明器具５０に取り付けられた状態で、下端がフィッティングルーム３の床面から０．４ｍの高さとなるように、鏡４の両側方に長手方向を上下方向にして左右対称に設けられている。１対の面光源５，５の間隔は１．２ｍであり、それぞれの面光源５は鏡４の中心から０．６ｍの距離に位置している。照明器具５０は、図２（ａ）に示すように、幅が０．１２ｍの器具本体５１と、面光源５からの光を衣服２（図１（ｂ）参照）に向けて反射する反射板５２と、例えば乳白色パネル又はプリズムパネルなどパネル５３とを備えている。
【００２０】
それぞれの面光源５の照射範囲の立体角は０．２６ｓｒ（ステラジアン）以上０．３０ｓｒ以下である。また、面光源５の中心照射方向は、図１（ｂ）に示すように、フィッティングルーム３の上側から見て、フィッティングルーム３の側面と平行する軸ａ３，ａ４からフィッティングルーム３の中心側に３４度傾いている。１対の面光源５，５からの混合光の目標光度は１８００±２００ｃｄであり、鉛直面照度は１５００ｌｘ以上２０００ｌｘ以下である。それぞれの面光源５の照射範囲は図２（ｂ）に示すようなものである（図２（ｂ）は光の強さが３５０（ｃｄ／１０００ｌｍ）の場合である）。
【００２１】
ここで、面光源５の設置場所について説明する。面光源５の設置場所としては、天井（図示せず）、鏡４の上方、鏡４の両側方が考えられる。このうち、天井に設置すると人（試着者）２０の鏡４から鉛直方向の照度である鉛直面照度を得にくいので、鏡４の上方に設置した場合と、鏡４の両側方に設置した場合とで比較する。図３には、同じ供給電力あたりの面光源５の設置場所による鉛直面照度を示している。図３によると、フィッティングルーム３の床面からの高さが少なくとも１．２ｍまでは、鏡４の両側方に面光源５を設置した場合（図３の●）のほうが、鏡４の上方に設置した場合（図３の▲）より大きな鉛直面照度を得ることができる。
【００２２】
図１（ａ）の１対の点光源６，６は、それぞれ例えば色温度２８００Ｋの白熱電球（反射板やフィルタに多層膜処理を施して赤外線を除去したものを含む）などであり、フィッティングルーム３において、面光源５の上側に床面から１．８ｍの高さで設けられている。
【００２３】
それぞれの点光源６の照射範囲の立体角は０．００１ｓｒ以上０．００５ｓｒ以下である。また、点光源６の中心照射方向は、フィッティングルーム３の上側から見て、フィッティングルーム３の側面と平行する軸ａ５，ａ６からフィッティングルーム３の中心側に３４度傾き（図１（ｃ）参照）、フィッティングルーム３の正面から見て、フィッティングルーム３の側面と平行する軸ａ１，ａ２からフィッティングルーム３の中心下方側に６０度傾いている（図１（ａ）参照）。１対の点光源６，６からの混合光は４５０±５０ｃｄであり、鉛直面照度は４５０ｌｘ以上５００ｌｘ以下である。なお、１対の点光源６，６として、反射板やフィルタに多層膜処理を施して色温度を４０００Ｋ以上５０００Ｋ以下に変換するものであってもよい。
【００２４】
このような２種類の光源（面光源５及び点光源６）からの光における光束比によって、図４に示すように、混合光の色温度を調整することができる。例えば色温度５０００Ｋの面光源５と色温度２８００Ｋの点光源６との光束比を３：１（７５：２５）にすると、混合光の色温度は約４３００Ｋとなる。なお、２種類の光源の光束比を調整したとしても、平均演色評価数Ｒａは８０以上を維持している。
【００２５】
続いて、人２０が着衣した衣服２の陰影について説明する。フィッティングルーム３では、衣服２の繊維の種類や織り方を上手に表現する必要があり、フィッティングルーム用照明装置１による照明が果たす役割は大きい。特に、面光源５及び点光源６のそれぞれの立体角及び照射方向が影響する。ここで、衣服２の陰影を表すものとして「影の深さ」を用いる。この影の深さは影の状態を定量的に表すものであり、影によって失われた輝度（照度）と、影がないときの輝度（照度）との対比で表される。具体的には、図５に示すように、衣服２の所定の部分（実施形態１ではフィッティングルーム３の床面からの高さが約１．２ｍの部分）における影のない部分の輝度をＬ１、影の部分の輝度をＬ２とすると、対象物の影の深さＳは２つの輝度Ｌ１，Ｌ２から求められ、Ｓ＝（Ｌ１−Ｌ２）／Ｌ１となる。この影の深さＳは面光源５及び点光源６の照射範囲の立体角に大きく依存する値である。具体的には、面光源５及び点光源６の照射範囲の立体角を大きくすると、影の深さＳは小さくなる。これに対して、面光源５及び点光源６の照射範囲の立体角を小さくすると、影の深さＳは大きくなる。
【００２６】
影の状態を判断することのみを考えると、図１（ａ）において、面光源５及び点光源６が鏡４の片方だけに設置されていればよいが、人（試着者）２０の視線を特定することができないので、実施形態１では、面光源５及び点光源６が鏡４の両側方に１つずつ設置されている。
【００２７】
実施形態１では、面光源５及び点光源６のそれぞれの照射方向を一定にした状態で、色温度や立体角を変化させて、衣服（白色ブラウス）２の見え方の評価を行った。まず、評価方法について説明する。衣服２と鏡４の距離を０．９ｍとする。この状態で、衣服２のうちフィッティングルーム３の底面から高さ１．２ｍの位置を評価位置とする。この評価位置における影の深さＳを求めた。この中で、面光源５及び点光源６の立体角が最小である場合の影の深さＳは０．８４、面光源５及び点光源６の立体角が最大である場合の影の深さＳは０．７６であった。それぞれの照明状態における影の深さＳは０．７６以上０．８４以下の間に分布する。なお、すべての照明状態の照度は、色の情報を適切に把握するために、照度を１１００ｌｘ以上１２００ｌｘ以下に揃えた。
【００２８】
また、評価者は男女１４名（平均年齢３１歳、標準偏差３．７）である。さらに、衣服２の見え方の評価尺度として、「明るさの印象や衣服の特徴表現」や「ウォームクール感」などを、「好ましい」及び「好ましくない」を両端に、「どちらでもない」を中央に配した７段階評価を使用している。
【００２９】
図６には、影の深さＳと衣服２の見え方の好ましさの総合評価との関係を示している。面光源５と点光源６の組み合わせは図７に示している。面光源５の長さは１．２ｍ、幅は０．１２ｍ、立体角は０．４８ｓｒである。図７のＥＸ−Ｎは昼白色の蛍光灯（色温度５０００Ｋ）であり、ＥＸ−Ｌは電球色の蛍光灯（色温度２８５０Ｋ）である。点光源６の直径は０．１ｍ、立体角は０．００５ｓｒである。また、点光源６の色温度は、光源そのものや反射板、フィルタなどの組み合わせによって、２７５０Ｋ、３４００Ｋ、４６００Ｋに調整されている。図７の設定番号１〜３は点光源６のみを点灯させた場合、設定番号４〜７はＥＸ−Ｎの蛍光灯と点光源６を点灯させた場合、設定番号８はＥＸ−Ｎの蛍光灯のみを点灯させた場合、設定番号９〜１２はＥＸ−Ｌの蛍光灯と点光源６を点灯させた場合、設定番号１３はＥＸ−Ｌの蛍光灯のみを点灯させた場合である。
【００３０】
図６より、面光源５及び点光源６によって得られる影の深さＳが０．７６（図６の▲）以上０．７８（図６の●）以下であるとき、衣服２の見え方が好ましくなる。より好ましくなるのは、影の深さＳが０．７８の場合である。これに対して、影の深さＳが０．８０（図６の■）や０．８４（図６の▼）であるとき、衣服２の見え方はあまり好ましくない。
【００３１】
また、影の深さＳが０．７６以上０．７８以下において、同じ大きさの影の深さＳであっても、１対の面光源５，５からの光と１対の点光源６，６からの光とで混合された光の色温度が４２００Ｋ以上５０００Ｋ以下であるとき、衣服２の見え方がさらに好ましくなる。
【００３２】
以上、実施形態１によれば、例えば衣料品店や百貨店などの店舗で、客（人２０）が候補の衣服２から選択する際、購買意欲を効果的に向上させるため、又は、衣服２の繊維や種類、織り方、表面状態などの衣服２の素材感を上手に表現するために、影の深さＳの見え方を好ましい状態にすることができるので、店舗側にとっては付加価値の高い衣服２を客（人２０）に選定してもらえる機会を上げることができ、客（人２０）にとっては衣服２を迷わずに選定することができ、買い物が苦痛にならないという効果がある。
【００３３】
また、色温度を４２００Ｋ以上５０００Ｋにすると、影の深さＳの見え方をより好ましい状態にすることができる。
【００３４】
さらに、１対の面光源５，５及び１対の点光源６，６が鏡４の両側方に設けられるので、フィッティングルーム３において試着の邪魔にならないようにフィッティングルーム用照明装置１を設置することができる。
【００３５】
（実施形態２）
本発明の実施形態２に係るフィッティングルーム用照明装置の構成について図８を用いて説明する。このフィッティングルーム用照明装置１ａは、図８に示すように、１対の面光源５，５と、１対の点光源６，６とを実施形態１のフィッティングルーム用照明装置１（図１（ａ）参照）と同様に備えているが、実施形態１のフィッティングルーム用照明装置１にはない以下に記載の特徴部分を有する。
【００３６】
実施形態２のフィッティングルーム用照明装置１ａは、１対の面光源５，５及び１対の点光源６，６のそれぞれを調光制御する制御部７を備えている。実施形態１では衣服２（図１（ｂ）参照）の所定の部分がフィッティングルーム３の床面から高さ約１．２ｍの部分に固定されているが、人２０（図１（ｂ）参照）によって意識する部分が異なり、また体格（特に身長）も異なっていることから、個々の条件に対応できるほうが、より購買意欲を向上させることができる。そこで、実施形態２では、鏡４と衣服２の距離が人２０によって異なる場合や人２０の体格が異なる場合であっても、それぞれの人２０における鏡４と衣服２の距離や人２０の体格に応じて影の深さＳを測定し、影の深さＳを０．７６以上０．７８以下の範囲になるように、制御部７が１対の面光源５，５及び１対の点光源６，６を調光する。このとき、フィッティングルーム３内にいる人２０が違和感を持たない程度にゆっくり調光するほうが好ましい。
【００３７】
以上、実施形態２によれば、それぞれの人２０（図１（ｂ）参照）ごとに影の見え方を好ましい状態にすることができる。
【００３８】
（実施形態３）
本発明の実施形態３に係るフィッティングルーム用照明装置の構成について図８及び９を用いて説明する。このフィッティングルーム用照明装置１ａは、図８に示すように、１対の面光源５，５と、１対の点光源６，６とを実施形態１のフィッティングルーム用照明装置１（図１（ａ）参照）と同様に備えているが、実施形態１のフィッティングルーム用照明装置１にはない以下に記載の特徴部分を有する。
【００３９】
実施形態３のフィッティングルーム用照明装置１ａは、１対の面光源５，５及び１対の点光源６，６を調光制御することによって複数の照明状態にフィッティングルーム３を設定する制御部７を備えている。つまり、制御部７は１対の面光源５，５及び１対の点光源６，６のそれぞれを調光制御し、２種類の光源（面光源５及び点光源６）からの光による混合光を用いて、図９に示すように、屋外の昼光を近似する高い照度を有する照明状態（図９の「屋外の明かり」）、又はオフィスや店舗、レストランの照明状態にフィッティングルーム３を設定する。制御部７の機能を具体的に説明すると、屋外の照明状態に設定する場合、制御部７は１対の点光源６，６を消灯させて、１対の面光源５，５を調光レベル１００％で点灯させるように制御する。オフィスの照明状態に設定する場合、１対の点光源６，６を消灯させて、１対の面光源５，５を調光レベル５０％で点灯させるように制御する。店舗の照明状態に設定する場合、１対の面光源５，５を調光レベル４０％で点灯させ、１対の点光源６，６を調光レベル５０％で点灯させるように制御する。レストランの照明状態に設定する場合、１対の面光源５，５を消灯させ、１対の点光源６，６を調光レベル１００％で点灯させるように制御する。
【００４０】
以上、実施形態３によれば、日常のさまざまな場所での照明状態にフィッティングルーム３を設定することができるので、それぞれの照明状態での衣服の見え方の好ましい状態をフィッティングルーム３で確認することができる。
【００４１】
なお、実施形態３の変形例として、制御部７が、実施形態２の制御部と同様に、それぞれの人における鏡４と衣服の距離に応じて影の深さＳを測定し、影の深さＳを０．７６以上０．７８以下の範囲に設定する機能を有してもよい。
【００４２】
（実施形態４）
本発明の実施形態４に係るフィッティングルーム用照明装置の構成について図１０を用いて説明する。このフィッティングルーム用照明装置１ｂは、図１０に示すように、１対の面光源５，５と、１対の点光源６，６とを実施形態１のフィッティングルーム用照明装置１（図１（ａ）参照）と同様に備えているが、実施形態１のフィッティングルーム用照明装置１にはない以下に記載の特徴部分を有する。
【００４３】
実施形態４のフィッティングルーム用照明装置１ｂは、鏡４の上下方向の両側方であって１対の面光源５，５の下方に設けられ衣服２（図１（ｂ）参照）を照射する１対の下方側点光源８，８を備えている。実施形態４では、１対の下方側点光源８，８として、点光源６，６と同様のものが用いられている。
【００４４】
以上、実施形態４によれば、１対の下方側点光源８，８を備えることによって、１対の下方側点光源８，８を備えない場合に比べて、衣服全体に影を出すことができる。
【００４５】
なお、実施形態４の変形例として、フィッティングルーム用照明装置１ｂは実施形態２又は３の制御部７（図８参照）を備えてもよい。
【図面の簡単な説明】
【００４６】
【図１】本発明の実施形態１に係るフィッティングルームであって、（ａ）が正面図、（ｂ）がＡ−Ａ断面図、（ｃ）がＢ−Ｂ断面図である。
【図２】同上に係る面光源であって、（ａ）が断面図、（ｂ）が輝度を示す図である。
【図３】同上に係るフィッティングルーム用照明装置の鉛直面照度を示す図である。
【図４】同上に係るフィッティングルーム用照明装置の色温度を示す図である。
【図５】同上に係るフィッティングルーム用照明装置における影の深さを説明するための図である。
【図６】同上に係るフィッティングルーム用照明装置の影の深さと衣服の見え方の総合評価との関係を示す図である。
【図７】同上に係るフィッティングルーム用照明装置の面光源及び点光源の組み合わせによる影の深さを示す図である。
【図８】本発明の実施形態２又は３に係るフィッティングルームの正面図である。
【図９】本発明の実施形態３に係るフィッティングルームの照明状態を示す図である。
【図１０】本発明の実施形態４に係るフィッティングルームの正面図である。
【図１１】フィッティングルーム用照明装置の機能を説明するための図である。
【符号の説明】
【００４７】
１，１ａ，１ｂ  フィッティングルーム用照明装置
２  衣服
２０  人
３  フィッティングルーム
４  鏡
５  面光源
６  点光源
７  制御部
８  下方側点光源
【図１】
2008123859.tif 000003
【図２】
2008123859.tif 000004
【図３】
2008123859.tif 000005
【図４】
2008123859.tif 000006
【図５】
2008123859.tif 000007
【図６】
2008123859.tif 000008
【図７】
2008123859.tif 000009
【図８】
2008123859.tif 000010
【図９】
2008123859.tif 000011
【図１０】
2008123859.tif 000012
【図１１】
2008123859.tif 000013